(57)【要約】【課題】  実際の撮影画像の転送が開始されるまでの時間を低減し、記憶媒体への入出力バスのクロック周波数を低くし、無駄な消費電力を低減することを可能にした記録装置を提供する。【解決手段】  バッファ書き込み速度測定手段によって測定された書き込み速度測定情報と、バッファ読み出し速度測定手段によって測定された読み出し速度測定情報と、バッファ蓄積量測定手段によって測定されたデータ量情報のいずれか一つ以上の情報を元にクロック周波数を決定し、当該決定されたクロック周波数のクロック信号を記憶媒体と入出力制御手段へ供給するとともに、初期化要求信号に応じてクロック周波数を変更するよう構成された入出力バスクロック発生手段を備える。【選択図】  図１
2016009409.tif 000002
【特許請求の範囲】
【請求項１】
着脱可能な記憶媒体に対してデータを書き込む記録装置において、
前記記憶媒体に対して書き込むデータを一時的に保持するデータバッファと、
前記データバッファにデータを書き込むバッファ書き込み手段と、
前記記憶媒体と前記データバッファとの間のデータの入出力を制御する入出力制御手段と、
前記バッファ書き込み手段から前記データバッファへデータが書き込まれる速度を測定するバッファ書き込み速度測定手段と、
前記データバッファから前記入出力制御手段によりデータが読み出される速度を測定するバッファ読み出し速度測定手段と、
前記データバッファに蓄積されているデータのデータ量を測定するバッファ蓄積量測定手段と、
複数の異なる周波数を発生可能な入出力バスクロック発生手段と、
操作部材による当該記録装置の動作モードの変更指示を監視し、動作モードが所定のモードに変化した際に初期化要求信号を出力する初期化信号出力手段とを有し、
前記入出力バスクロック発生手段は、前記バッファ書き込み速度測定手段によって測定された書き込み速度測定情報と、前記バッファ読み出し速度測定手段によって測定された読み出し速度測定情報と、前記バッファ蓄積量測定手段によって測定されたデータ量情報のいずれか一つ以上の情報を元にクロック周波数を決定し、当該決定されたクロック周波数のクロック信号を前記記憶媒体と前記入出力制御手段へ供給するとともに、前記初期化信号出力手段による前記初期化要求信号に応じて、前記クロック信号のクロック周波数を変更することを特徴とする記録装置。
【請求項２】
前記バッファ書き込み速度測定手段と、前記バッファ読み出し速度測定手段と、前記バッファ蓄積量測定手段は、前記データバッファから前記入出力制御手段によってデータが読み出される際に、所定の期間にそれぞれ測定を実施することを特徴とする請求項１に記載の記録装置。
【請求項３】
前記入出力バスクロック発生手段は、前記データ量情報の示す値が所定以上の蓄積量に達した場合に、前記入出力制御手段と前記記憶媒体とが動作可能な最高周波数の値を出力することを特徴とする請求項１又は請求項２に記載の記録装置。
【請求項４】
前記入出力バスクロック発生手段は、前記データ量情報の示す値が前記所定以上になってから所定以下となった場合に、前記最高周波数を出力する状態を解除することを特徴とする請求項３に記載の記録装置。
【請求項５】
前記初期化信号出力手段は、撮影モードに移る際に前記初期化要求信号を出力することを特徴とする請求項１乃至請求項４の何れか１項記載の記録装置。
【発明の詳細な説明】
【技術分野】
【０００１】
本発明は、記憶媒体を着脱でき、かつ記憶媒体と入出力制御部とを結ぶバスのクロックとして複数のクロック周波数を発生できる構成の記録装置に関する。
【背景技術】
【０００２】
装置の状態に応じて装置全体のクロック周波数を低くすることにより消費電力を低減する技術が知られている。例えば、装置で動作中のユーザプロセスの有無により装置の状態を変え、その状態に応じてクロック周波数を制御する技術が知られている（特許文献１参照）。
【０００３】
さらに、装置を複数部分に分けて、クロック周波数を個別に制御し、かつ、各部分を監視し、各部分の動作状態により必要に応じて、各部分のクロック周期を下げることで、さらに効率良く消費電力を減少させる技術が知られている（特許文献２参照）。
【０００４】
一方、最近の着脱可能な記憶媒体（半導体メモリ、磁気ディスク、フラッシュメモリなど）は大容量化し、それに比例するようにデータ入出力速度も向上している。そのため、装置に着脱される記憶媒体には、データを高速に書き込むことができる記憶媒体もある。
【０００５】
しかしながら、記憶媒体用の入出力バスのクロック周波数を変更できる装置に、高速入出力に対応していないフラッシュメモリを差し込むと、高クロック周波数でフラッシュメモリにデータの入出力を行った場合の書き込み速度と、低クロック周波数でフラッシュメモリにデータの入出力を行った場合の書き込み速度とで差が生じないことがある。
【０００６】
この結果、記憶媒体用の入出力バスのクロック周波数を変更できる装置に、高速入出力に対応していないフラッシュメモリに入出力を行うと無駄な電力を消費する場合がある。この問題に対して、データの書き込み速度をできるだけ落とさずに、記憶媒体用の入出力バスのクロック周波数を低くし、無駄な消費電力を低減することができる技術が提案されている（特許文献３参照）。
【先行技術文献】
【特許文献】
【０００７】
【特許文献１】特開平１１−１９１０１７号公報
【特許文献２】特開２０００−１４８２７９号公報
【特許文献３】特開２００６−３５０９６８号公報
【発明の概要】
【発明が解決しようとする課題】
【０００８】
しかしながら、上述の特許文献に開示された従来技術では、記録媒体の挿入時や撮影画像の入出力時に、計測量として十分な容量のデータを転送することで転送速度を測定し、記録装置が設定可能な周波数に対し前記転送速度の測定を繰り返し実行することで、所望のクロック周波数を算出しているため、記録装置が実際の撮影画像を記憶媒体に対し転送可能になるまでに時間を要する。この間、撮影画像の転送が開始できず、静止画、動画の撮影動作が行えず、たとえそれらの機能を実施しても、例えば、静止画の連写においては、カードの速度を計測している間は、記録した撮影画像をカードに保存することが行えないので、連続して撮影が行える連写枚数が減少する場合がある。
【０００９】
そこで、本発明の目的は、実際の撮影画像の転送が開始されるまでの時間を低減し、記憶媒体への入出力バスのクロック周波数を低くし、無駄な消費電力を低減することを可能にした記録装置を提供することにある。
【課題を解決するための手段】
【００１０】
上記目的を達成するために、本発明は、着脱可能な記憶媒体に対してデータを書き込む記録装置において、前記記憶媒体に対して書き込むデータを一時的に保持するデータバッファと、前記データバッファにデータを書き込むバッファ書き込み手段と、前記記憶媒体と前記データバッファとの間のデータの入出力を制御する入出力制御手段と、前記バッファ書き込み手段から前記データバッファへデータが書き込まれる速度を測定するバッファ書き込み速度測定手段と、前記データバッファから前記入出力制御手段によりデータが読み出される速度を測定するバッファ読み出し速度測定手段と、前記データバッファに蓄積されているデータのデータ量を測定するバッファ蓄積量測定手段と、複数の異なる周波数を発生可能な入出力バスクロック発生手段と、操作部材による当該記録装置の動作モードの変更指示を監視し、動作モードが所定のモードに変化した際に初期化要求信号を出力する初期化信号出力手段とを有し、前記入出力バスクロック発生手段は、前記バッファ書き込み速度測定手段によって測定された書き込み速度測定情報と、前記バッファ読み出し速度測定手段によって測定された読み出し速度測定情報と、前記バッファ蓄積量測定手段によって測定されたデータ量情報のいずれか一つ以上の情報を元にクロック周波数を決定し、当該決定されたクロック周波数のクロック信号を前記記憶媒体と前記入出力制御手段へ供給するとともに、前記初期化信号出力手段による前記初期化要求信号に応じて、前記クロック信号のクロック周波数を変更することを特徴とする。
【発明の効果】
【００１１】
本発明によれば、実際の撮影画像の転送が開始されるまでの時間を低減し、記憶媒体への入出力バスのクロック周波数を低くし、無駄な消費電力を低減することができる。
【図面の簡単な説明】
【００１２】
【図１】本発明の第１の実施の形態に係る記録装置の構成を示す図である。
【図２】本発明の第１の実施の形態に係る入出力バスクロック周波数決定ルーチン実施の有無の決定において、記録装置のモードとクロック周波数ホールド保持とホールド解除の関係の一例を示す図である。
【図３】本発明の第１の実施の形態に係る入出力バスクロック周波数決定ルーチンのフローチャートである。
【図４】記憶媒体クロック周波数に対する転送速度の特性の一例を示すグラフである。
【図５】本発明の第１の実施の形態に係る撮影画像を一時記憶するバッファの撮影画像データ蓄積量と、バッファへ対する、読み出し速度の特性の一例を示すグラフである。
【図６】本発明の第２の実施の形態に係る記録装置の構成を示す図である。
【図７】本発明の第２の実施の形態に係る記録装置の動作モードが変更された場合のモード別周波数読み出しルーチンのフローチャートである。
【発明を実施するための形態】
【００１３】
以下に、本発明の好ましい実施の形態を、添付の図面に基づいて詳細に説明する。
【００１４】
［実施例１］
以下、本発明の第１の実施の形態に係る記録装置に関し、記憶媒体に対して記録装置が制御する入出力バスクロック周波数の決定方法について図１および図２および図３および図４および図５を用いて説明する。
【００１５】
図１は、本発明の第１の実施の形態に係る記録装置１００の構成を示す図である。図２は記録装置１００が有している動作のモードの遷移に対するクロック周波数の保持と保持の解除の例を示す図である。記録装置１００が有している動作のモードとは、静止画撮影Ｍ１００と、動画撮影Ｍ１０１と、静止画動画再生Ｍ１０２の状態を指す。
【００１６】
図３は、入出力バス１１３のクロック周波数を決定する入出力バスクロック周波数決定ルーチンのフローチャートである。図４は、入出力バスクロック発生部１０３から発生させるクロック周波数に対する記憶媒体１０１へのデータ転送速度の特性の例を示すグラフである。図５は、時間経過における、撮影画像を一時記憶するバッファの撮影画像のデータ蓄積量と前記バッファへ対する読み出し速度の特性の一例を表すグラフである。
【００１７】
図１において、記憶媒体１０１は、記録装置から着脱可能な記憶媒体である。入出力制御部１０２は、記憶媒体１０１に撮影画像を書き込み又は、読み出しするデータ転送の制御部である。入出力バスクロック発生部１０３は、記憶媒体１０１と入出力制御部１０２の間を接続する入出力バス１１３のクロックとして、記録装置において設定可能な複数のクロック周波数から一つの周波数を入出力制御部１０２に対して出力するクロック発生手段である。
【００１８】
バッファ書き込み部１０４は、撮影素子を用いて静止画または動画を撮影し、撮影画像を所定のファイル形式で撮影データバッファ１０５に出力する手段である。撮影データバッファ１０５は、バッファ書き込み部１０４で出力された撮影画像を記憶媒体１０１に転送する前に一時記憶する手段である。バッファ書き込み速度測定部１０６は、バッファ書き込み部１０４から撮影データバッファ１０５に書き込まれる撮影画像の転送速度を測定し、入出力バスクロック決定部１１０に測定情報を出力する手段である。
【００１９】
バッファ読み出し速度測定部１０７は、撮影データバッファ１０５から入出力制御１０２へ転送される撮影画像の転送速度を測定し、入出力バスクロック決定部１１０に測定情報を出力する手段である。バッファ蓄積量測定部１０８は、撮影データバッファ１０５に蓄積されている撮影画像のデータ量を測定し、入出力バスクロック決定部１１０に測定情報を出力する手段である。撮影データバッファ１０５には、バッファ書き込み部１０４から入力されるデータと、入出力制御１０２へ転送されるデータ量の差分が蓄積されている。
【００２０】
入出力バスクロック決定部１１０は、バッファ書き込み速度測定部１０６およびバッファ読み出し速度測定部１０７およびバッファ蓄積量測定部１０８のいずれか複数の情報を元に、逐次クロック周波数を決定し周波数ホールド部１０９に送信する手段である。
モード判別部１１１は、操作部材による動作モードの変更指示に応じて、動作モードが所定のモードに変化した際に初期化要求信号を周波数ホールド部１０９に出力する手段である。
【００２１】
周波数ホールド部１０９は、入出力バスクロック決定部１１０からの周波数情報を保持するとともに、モード判別部１１１からの初期化要求信号に応じて保持する周波数の値を所定の初期値にする手段である。
【００２２】
記憶媒体１０１には、ハードディスクやフラッシュメモリなどを用いてもよい。また、入出力制御部１０２は、使用される記憶媒体１０１に応じた信号処理部とインターフェースが適用される。
【００２３】
図２は記録装置１００が有している動作のモードの遷移に対するクロック周波数の保持と保持の解除の例を示す図である。記録装置１００が有している動作のモードとは、静止画撮影Ｍ１００と、動画撮影Ｍ１０１と、静止画動画再生Ｍ１０２の状態を指す。周波数ホールド部１０９によって保持されたクロック周波数は、静止画動画再生Ｍ１０２にモードが移行する場合はクロック周波数を保持する。静止画撮影Ｍ１００または動画撮影Ｍ１０１にモードが移行する場合は、モード判別部１１１より初期化要求信号が周波数ホールド部１０９に送信され、初期化要求信号を受信した周波数ホールド部１０９はホールドしていた周波数を初期化し保持する。
【００２４】
例えば、図４で示すように周波数ホールド部１０９において選択可能な周波数が４つあるとする。また、設定可能な周波数を低い周波数から順にF(b)、F(c)、F(d)、F(e)とする。ステップＳ１０１は、周波数ホールド部１０９が最低周波数F(b)を選択し、入出力バスクロック発生部１０３に設定する。ステップＳ１０２は、バッファ書き込み速度測定部１０６と、バッファ読み出し速度測定部１０７によって撮影データバッファ１０５に対する撮影画像の転送速度の測定を開始する。また、バッファ蓄積量測定部１０８により、撮影データバッファ１０５に蓄積される撮影画像のデータ量の測定を開始する。
【００２５】
ステップＳ１０３は、入出力制御部１０２から記憶媒体１０１に撮影画像を書き込む。ステップＳ１０４は、撮像画像の書き込み量が所定の時間または所定のデータ量を満たしたか判定する。満たした場合（ステップＳ１０４でＹＥＳ）、ステップＳ１０５に進む。満たしていない場合（ステップＳ１０４でＮＯ）、前記所定の時間または、所定のデータ量を書き込むまでステップＳ１０３、ステップＳ１０４を繰り返す。
【００２６】
ステップＳ１０５は、ステップＳ１０２で開始した測定を終了し、測定結果の情報を入出力バスクロック決定部１１０に送信する。ステップＳ１０６は、入出力バスクロック決定部１１０にてバッファ読み出し速度測定部１０７の測定結果（以下「ＳＲ」という）とバッファ書き込み速度測定部１０６の測定結果（以下「ＳＷ」という）の比較を行う。ステップＳ１０６の判定の結果、ＳＲがＳＷより遅い場合（ステップＳ１０６でＮＯ）はステップＳ１０７に進む。ステップＳ１０６の判定の結果、ＳＷがＳＲ以下の場合（ステップＳ１０６でＹＥＳ）は本ルーチンを終了する。
【００２７】
ステップＳ１０７は、バッファ蓄積量測定部１０８の測定結果（以下「ＳＴ」という）が撮影データバッファ１０５の容量もしくは所定の量に達していないか比較する。ステップＳ１０７の判定の結果、ＳＴが撮影データバッファ１０５の容量もしくは所定の量に達している場合（ステップＳ１０７でＹＥＳ）はステップＳ１０８に進む。
【００２８】
ステップＳ１０７の判定の結果、ＳＴが撮影データバッファ１０５の容量もしくは所定の量に達していない場合（ステップＳ１０７でＮＯ）はステップＳ１１０に進む。ステップＳ１０８は、入出力バスクロック決定部１１０から周波数ホールド部１０９へ最高周波数F(e)を入出力バスクロック発生部１０３に設定する。
【００２９】
ステップＳ１０９は、入出力バスクロック決定部１１０がバッファ蓄積量測定部１０８の測定結果を逐次監視しつつ、蓄積している撮影画像が無くなるかもしくは所定のデータ量に減少するまで入出力制御部１０２から記憶媒体１０１へ撮影画像を書き込む。ステップＳ１１０は、入出力バスクロック決定部１１０が周波数ホールド部１０９に対して、ステップＳ１０２〜ステップＳ１０５の測定で設定した周波数よりも１段階速い周波数の値を送信し、周波数ホールド部１０９にて受信した周波数を保持する。
【００３０】
以後、ステップＳ１０２に戻り、ステップＳ１０６の判定結果がＹＥＳになるまで、ステップＳ１０２からステップＳ１１０を繰り返す。上記入出力バスクロック周波数決定ルーチンは、すでに入出力制御部１０２から記憶媒体１０１へ撮像画像の転送中に実行してもよい。その場合、ステップＳ１０２からステップＳ１０５の測定の期間は所定の時間を用いる。
【００３１】
以後、前述図５の例を用いて、時系列に沿って入出力バスクロック周波数決定ルーチンについての一例を説明する。図５の場合、ステップＳ１０２からステップＳ１０５の測定の期間は所定の時間としている。また、入出力バスクロック発生部１０３で設定できるクロック周波数は図４と同様としている。Ｔ（１）において、入出力バスクロック周波数決定ルーチンを開始する。記録装置１００のモードは、静止画撮影モードＭ１００とする。この際、ステップＳ１０１において、入出力バスクロック周波数を最低周波数F(b)に設定し、ステップＳ１０２からステップＳ１０５において、ＳＲとＳＷとＳＴを測定する。
【００３２】
Ｔ（２）において、ステップＳ１０６のＳＲとＳＷの比較を行う。判定の結果はＳＲ＜ＳＷとなっているためステップＳ１０７に進む。ステップＳ１０７において、ＳＴが一時記録バッファの容量Ｃに達していないため、ステップＳ１１０に進む。ステップＳ１１０において、入手力バスクロック決定部１１０はF(b)より１段階速い周波数F(c)を選択し、周波数ホールド部１０９へ周波数情報を送信する。周波数ホールド部１０９は、より速い周波数はF(c)をホールドし、入出力バスクロック発生部１０３に送信し、入出力バスクロック発生部１０３にてF(c)に設定し、ステップＳ１０２に進む。Ｔ（２）からＴ（３）は、Ｔ（１）からＴ（２）までと同様に、測定と測定結果の判定を行う。
【００３３】
Ｔ（３）において、撮影画像の蓄積量は増えるが、ステップＳ１０６とステップＳ１０７の判定結果が変わらないため、入手力バスクロック決定部１１０はF(c)より１段階速い周波数F(d)を選択し、周波数ホールド部１０９へ周波数情報を送信する。周波数ホールド部１０９と入出力バスクロック発生部も同様にF(d)に設定し、ステップＳ１０２に進む。Ｔ（３）からＴ（４）においても、Ｔ（２）からＴ（３）と同様に、測定と測定結果の判定を行う。
【００３４】
Ｔ（４）において、判定の結果は撮影画像の蓄積量が増えていない、つまりＳＷ＝ＳＲとなる為、ステップＳ１０６の判定においてＹＥＳとなり、入出力バスクロック周波数はF(d)にホールドされたまま、本ルーチンを終了する。Ｔ（６）は、記録装置１００のモードが動画撮影モード１０１に移行したとする。Ｔ（６）において、モードの移行に伴い、ホールドしていた入出力バスクロック周波数を初期化し、Ｔ（１）からＴ（４）と同様に、入出力バスクロック周波数決定ルーチンをステップＳ１０１より実行する。
【００３５】
Ｔ（７）において、Ｔ（２）と同様に周波数F(c)を入出力バスクロック発生部に設定し、再びステップＳ１０２から測定と測定結果の判定を行う。Ｔ（８）において、撮影画像の蓄積量が、撮影データバッファ１０５の容量に達したため、ステップＳ１０７の判定がＹＥＳとなり、ステップＳ１０８で最高周波数F(e)を入出力バスクロック発生部１０３に設定する。さらに、ステップＳ１０９において、撮影データバッファ１０５のデータ蓄積量が無くなるまで、撮影画像を記憶媒体１０１に書き込む。
【００３６】
Ｔ（９）において、撮影データバッファ１０５のデータ蓄積量が無くなるため、ホールドの解除要求信号とＴ（７）で選択した周波数F(c)より１段階速い周波数F(d)が、入出力バスクロック決定部１１０から出力される。周波数ホールド部１０９は、F(d)を出力し、入出力バスクロック選択部１０３はF(d)に設定し、測定と測定結果の判定を行う。以後、Ｔ（２）からＴ（４）と同様に、ステップＳ１０６の条件を満たすまで入出力バスクロック周波数決定ルーチンを実行する。
【００３７】
以上詳細に説明したように、本実施の形態によれば、実際の撮影画像を記憶媒体にデータ転送を行う際に、記憶媒体のデータ入出力速度を出来る限り速い周波数、かつ、出来る限り低いクロック周波数を選択し、設定できる。これにより、無駄な電力消費を低減することができる。なお、第１の実施の形態に係る記録装置は、デジタルカメラに限るものではなく、デジタルビデオカメラ、デジタルカメラ付き携帯電話などのデジタルカメラとして機能を有する装置であってもよい。
【００３８】
［実施例２］
以下、本発明の第２の実施の形態に係る記録装置に関し、記憶媒体に対して記録装置が制御する入出力バスクロック周波数の決定方法について図６および図７を用いて説明する。
【００３９】
図６は、本発明の第２の実施の形態に係る記録装置の構成を示す図である。図７は、該記録装置における動作モードの変更があった際に動作モードごとの周波数テーブルから該当する周波数情報を取得するモード別入出力バスクロック周波数呼び出しルーチンのフローチャートである。
【００４０】
図６において、モード変更部１１４は、操作部材による該記録装置の動作モードの変更指示を監視し、動作モードが所定のモードに変化した際に周波数ホールド部１０９へモード変更要求信号と動作モード情報を出力する手段である。
【００４１】
周波数ホールド部１０９は、該記録装置の動作モードごとの周波数情報を保持できるモード別周波数テーブルを有している。また周波数ホールド部１０９は、入出力バスクロック決定部１１０からの周波数情報を保持するとともに、モード変更部１１４からのモード変更要求信号と動作モード情報に応じて周波数テーブルから周波数情報を取得し保持する手段である。その他の１０１〜１１３の手段は、図１と同様であるので説明は割愛する。
【００４２】
図７において、ステップＳ２００は、動作モード変更時に、直前の動作モードに対応した周波数テーブルへ周波数ホールド機能が保持している周波数情報を格納（退避）する。ステップＳ２０１は、周波数ホールド部１０９が有しているモード別周波数テーブルから当該動作モードに対する周波数情報が保持されているか判別する。
【００４３】
ステップＳ２０１の判定の結果、周波数情報があった場合（ステップＳ２０１でＹＥＳ）はステップＳ２０２に進む。また、周波数情報がなかった場合（ステップＳ２０１でＮＯ）はステップＳ２０３に進む。ステップＳ２０２は、モード別周波数テーブルから周波数情報を読み出し、周波数ホールド部１０９に保持し、入出力バスクロック発生部１０３にて保持された周波数に設定する。ステップＳ２０３は、第１の実施の形態と同様に、図３の入出力バスクロック周波数決定ルーチンを実行する。
【００４４】
以上詳細に説明したように、本実施の形態によれば、実際の撮影画像を記憶媒体にデータ転送を行う際に、記憶媒体のデータ入出力速度を出来る限り速い周波数、かつ、出来る限り低いクロック周波数を選択し、設定できる。さらに、すでに実行したことのある動作モードにおいては、より早くクロック周波数を設定できる。これにより、無駄な電力消費を低減することができる。なお、第２の実施の形態に係る記録装置は、デジタルカメラに限るものではなく、デジタルビデオカメラ、デジタルカメラ付き携帯電話などのデジタルカメラとして機能を有する装置であってもよい。
【符号の説明】
【００４５】
１００  記録装置、１０１  記録媒体、１０２  入出力制御部、
１０３  入出力バスクロック発生部、１０４  バッファ書き込み部、
１０５  撮影データバッファ、１０６  バッファ書き込み速度測定部、
１０７  バッファ読み出し速度測定部、１０８  バッファ蓄積量測定部、
１０９  周波数ホールド部、１１０  入出力バスクロック決定部、
１１１  モード判別部、１１２  部材からのモード設定情報、
１１３  入出力バス、１１４  モード変更部
【図４】
2016009409.tif 000003
【図７】
2016009409.tif 000004
【図１】
2016009409.tif 000005
【図２】
2016009409.tif 000006
【図３】
2016009409.tif 000007
【図５】
2016009409.tif 000008
【図６】
2016009409.tif 000009